(57)【要約】【課題】建築材料の仕上材、構造材、その他の材料では、湿度調整機能が兼ね備えたもので無い為、周囲の環境が多湿時の際には、それらの建築材料自身が湿度を吸湿し、自然乾燥により回復する繰り返しで、常に建物内部に湿気が残った状態である。このことからそれら建築材料の耐久性の低下、そして環境悪化によって、建物内部で生活する者にとっての湿気のある生活環境を余儀なくされている。【解決手段】以上の課題を解決する為に、遠赤外線効果、抗菌作用、消臭機能ならびに湿度調整機能を有した液状化の材料に着目し、その特性をすべく、その遠赤外線効果、抗菌作用、消臭機能ならびに湿度調整機能を有した液状化の材料を用紙に浸透させ含有さぜて遠赤外線効果、抗菌作用、消臭機能ならびに湿度調整機能を有した用紙とし、さらにその機能を有した用紙の表面を細かい折曲げの構造とし表面積を増やし、湿度調整機能を向上させたものとし、そのものを建築工事で使用される材料に重ね合せ、または接した状態で積層されたもの。【選択図】図１
2007231493.tif 000002
【特許請求の範囲】
【請求項１】
遠赤外線効果、抗菌作用、消臭機能ならびに湿度調整機能を有した液状化の材料を用紙に浸透させ含有された遠赤外線効果、抗菌作用、消臭機能ならびに湿度調整機能を有した用紙。
【請求項２】
請求項１の遠赤外線効果、抗菌作用、消臭機能ならびに湿度調整機能を有した用紙を連続した小さな折曲げの構造とし表面積を増やした用紙。
【請求項３】
請求項２の連続した小さな折曲げの構造とし表面積を増やした用紙からなる遠赤外線効果、抗菌作用、消臭機能ならびに湿度調整機能を有した用紙を建築工事で使用される床仕上材、壁仕上材、天井仕上材、下地材、構造材、その他の建築材料に重ね合せ、または接した状態で積層されたもの。
【発明の詳細な説明】
【技術分野】
【０００１】本発明は、遠赤外線効果、抗菌作用、消臭機能ならびに湿度調整機能を有した用紙、及びそれを使用した建築材料に関し、更に詳しくは、床仕上材、壁仕上材、天井仕上材、下地材、構造材、その他の建築材料に適する建築材料積層体、及びそれを使用した建築材料に関するものである。
【背景技術】
【０００２】従来、建築工事で使用される床仕上材、壁仕上材、天井仕上材、下地材、構造材、その他の建築材料での範囲内での湿度を吸収し、調湿している。本発明の遠赤外線効果、抗菌作用、消臭機能ならびに湿度調整機能のいずれかを含有した用紙はある。（例えば、特許文献１参照。）。この含有した用紙で建築工事用として使用に対して丈夫さなど要求される専用の用紙はない。病院なとで清潔さを必要とされる抗菌のみを対応する伝票などに使用できるものはあり、また用紙に文字を記入することなどから表面が平坦である。本発明は、遠赤外線効果、抗菌作用、消臭機能ならびに湿度調整機能を有した用紙を、連続した小さな折曲げの構造とし表面積を増やし、更に遠赤外線効果、抗菌作用、消臭機能ならびに湿度調整機能を向上させた用紙である。この用紙を建築工事で使用される床仕上材、壁仕上材、天井仕上材、下地材、構造材、その他の建築材料に重ね合せ、または接した状態で積層されたものである。【０００３】
【特許文献１】  特開平９−３７９９号  公報
【特許文献２】  特開平５−１６８５７０号  公報
【特許文献３】  特開平７−３８００号  公報
【発明の開示】
【発明が解決しようとする課題】
【０００４】以上の技術によれば、床仕上材、壁仕上材、天井仕上材、下地材、構造材、その他の建築材料では、湿度調整機能が兼ね備えたもので無い為、周囲の環境が多湿時の際には、それらの建築材料自身が湿度を吸湿し、自然乾燥により回復する繰り返しで、常に建物内部に湿気が残った状態である。【０００５】このことからそれらの建築材料の耐久性の低下、そして環境悪化によって、建物内部で生活する者にとっての湿気のある生活環境を余儀なくされている。
そこでこの発明は、建築材料の床仕上材、壁仕上材、天井仕上材、下地材、構造材、その他の建築材料を湿度調整機能が兼ね備えたものとすることにより、建築材料の耐久性の向上と環境改善を提供するものである。
【課題を解決するための手段】
【０００６】以上の課題を解決する為に、遠赤外線効果、抗菌作用、消臭機能ならびに湿度調整機能を有した液状化の材料に着目し、その特性をすべく、従来の建築材料の床仕上材、壁仕上材、天井仕上材、下地材、構造材、その他の建築材料と構成することにより、遠赤外線効果、抗菌作用、消臭機能ならびに湿度調整機能を有した建築材料の床仕上材、壁仕上材、天井仕上材、下地材、構造材、その他の建築材料を発明し、完成させたものである。【０００７】第一発明は、建築材料の床仕上材、壁仕上材、天井仕上材、下地材、構造材、その他の建築材料に遠赤外線効果、抗菌作用、消臭機能ならびに湿度調整機能を有した液状化の材料を用紙に浸透させ含有させ、そのことにより遠赤外線効果、抗菌作用、消臭機能ならびに湿度調整機能を有した用紙である。【０００８】第二発明は、この第一発明の遠赤外線効果、抗菌作用、消臭機能ならびに湿度調整機能を有した用紙は、表面が平坦であるが、その平坦な表面を連続した細かい折曲げの構造とし表面積を増やしたものとする。【０００９】また、第三発明は、第二発明の表面が連続した細かい折曲げの構造とした表面積の大なる遠赤外線効果、抗菌作用、消臭機能ならびに湿度調整機能を有した用紙を建築材料の床仕上材、壁仕上材、天井仕上材、下地材、構造材、その他の建築材料に、重ね合され、積層し、または接した状態で使用する方法である。
【発明の効果】
【００１０】第一発明で構成された第二発明の表面が連続した細かい折曲げの構造とした表面積の大なる遠赤外線効果、抗菌作用、消臭機能ならびに湿度調整機能を有した用紙は、表面積が大きい為、湿度調整機能をより多く期待できる。この第二発明の細かい折曲げの構造とした表面積の大なる遠赤外線効果、抗菌作用、消臭機能ならびに湿度調整機能を有した用紙を建築材料の床仕上材、壁仕上材、天井仕上材、下地材、構造材、その他の建築材料と重ね合せ、積層体、または接した状態で一体化し、使用することで、それらの建築材料の床仕上材、壁仕上材、天井仕上材、下地材、構造材、その他の建築材料の周囲が湿度調整され、室内を適度に乾燥し、快適な環境状態に保つことができる。【００１１】又、それらの建築材料の床仕上材、壁仕上材、天井仕上材、下地材、構造材、その他の建築材料周囲の湿気が滞ることがなく材料の耐久性の向上に繋がる。
【発明を実施するための最良の形態】
【００１２】次に本発明の実施するための最良の形態を図１に示す。
建築床仕上材を取付ける前には、この第二発明の細かい折曲げの構造とした表面積の大なる遠赤外線効果、抗菌作用、消臭機能ならびに湿度調整機能を有した用紙を床下地に敷きこみ、この上に建築床仕上材を接して取付、重ね合せた積層体とする。
【実施例】
【００１３】この実施例によれば
第一発明の遠赤外線効果、抗菌作用、消臭機能ならびに湿度調整機能を有した用紙が、第二発明による細かい折曲げの構造とした表面積の大なる遠赤外線効果、抗菌作用、消臭機能ならびに湿度調整機能を有した用紙とすることにより、より一層の遠赤外線効果、抗菌作用、消臭機能ならびに湿度調整機能を有したものとする。【００１４】この第二発明の細かい折曲げの構造とした表面積の大なる遠赤外線効果、抗菌作用、消臭機能ならびに湿度調整機能を有した用紙を建築材料の床仕上材、壁仕上材、天井仕上材、下地材、構造材、その他の建築材料に、重ね合せ、積層体、または接した状態で使用する方法である。【００１５】この構成により、建物内部、建築材料内部の湿気が少ない乾燥状態に保たれる。この乾燥状態であることから建物内部での生活も快適となり、建物で使用された建築材料も耐久性の向上となる。【００１６】図２の壁、天井での実施状態では、接着剤、金物などで固定する。
この上に建築仕上材を取付、重ね合せた積層体とする。
【産業上の利用可能性】
【００１７】近年の建築物内部は外装がアルミサッシ、２重ガラスなどによって機密性が向上され、建物内部に発生した湿気が維持された状態となっている。そのことから建物内部が多湿となり、内部で生活する者、又、それらの湿気を嫌う建築材料の耐久性が劣ることなどの負の条件が多い。【００１８】このことからこの発明の構成によった物を取入れることで、建物内部、建築材料内部の湿気が少ない乾燥状態に保たれる。この乾燥状態であることから建物内部での生活も快適となり、建物で使用される建築材料の耐久性向上となる。【００１９】これらの機能を持つことでこの発明は、人間の快適な生活の向上、そして限られた地球上の資源の減少となるものである。
【図面の簡単な説明】
【００２０】
【図１】本発明の使用断面図
【符号の説明】
【００２１】１は、遠赤外線効果、抗菌作用、消臭機能ならびに湿度調整機能を有した液状化の材料が浸透され含有された用紙
２は、連続した小さな折曲げの構造とした表面積の大なる構造の用紙
３は、建築材料の床仕上材、又は壁、天井仕上材
４は、下地材、又は構造材
【図１】
2007231493.tif 000003